(57)【要約】【課題】三脚の座面の大きさに関わらず、三脚に取り付けた装置本体に対してグリップ部を回転させることができる撮像装置を提供する。【解決手段】撮像装置は、三脚取付部が底面部に設けられた装置本体１０１と、バッテリ６０１が内部に収納されて装置本体１０１の側部に対して回転可能に支持され、撮影者が把持するためのグリップ部１０２と、を備える。グリップ部１０２の底面部は、装置本体１０１に対するグリップ部１０２の回転中心を曲率中心とする円弧形状に形成され、円弧形状の曲率半径は、グリップ部１０２の回転中心から装置本体１０１の底面部までの距離と同等か前記距離より小さくなっている。【選択図】図６
2016165045.tif 000002
【特許請求の範囲】
【請求項１】
三脚取付部が底面部に設けられた装置本体と、
バッテリが内部に収納されて前記装置本体の側部に対して回転可能に支持され、撮影者が把持するためのグリップ部と、を備え、
前記グリップ部の底面部は、前記装置本体に対する前記グリップ部の回転中心を曲率中心とする円弧形状に形成され、前記円弧形状の曲率半径は、前記グリップ部の回転中心から前記装置本体の底面部までの距離と同等か前記距離より小さいことを特徴とする撮像装置。
【請求項２】
前記グリップ部の底面部には、前記円弧形状に形成されたバッテリ蓋が開閉方向に回動可能に設けられていることを特徴とする請求項１に記載の撮像装置。
【請求項３】
前記円弧形状に形成された前記バッテリ蓋の中央部に、前記バッテリ蓋を閉じ状態でロックするロックノブ、及び前記バッテリ蓋の回動軸を配置したことを特徴とする請求項２に記載の撮像装置。
【発明の詳細な説明】
【技術分野】
【０００１】
本発明は、例えばデジタルカメラやデジタルビデオカメラ等の撮像装置に関する。
【背景技術】
【０００２】
デジタルカメラ等の撮像装置では、撮影者が把持するグリップ部をカメラ本体に対して回転可能に設けたものが提案されている（特許文献１）。
【０００３】
この提案では、動画を撮影する際には、グリップ部を横向きに回転させ、静止画を撮影する際には、グリップ部を縦向きに回転させることで、動画撮影時でも静止画撮影時でも最適な向きにグリップ部を配置することが可能となる。
【０００４】
また、撮像装置の小型化を図るため、グリップ部の内部にバッテリの収納部を設け、グリップ部の底面側に形成した収納部の開口から収納部に対してバッテリを挿脱可能にしたものがある。グリップ部の底面側に形成される収納部の開口は、バッテリ蓋により開閉可能に覆われる。
【先行技術文献】
【特許文献】
【０００５】
【特許文献１】特開２００５−２１８０５０号公報
【発明の概要】
【発明が解決しようとする課題】
【０００６】
しかし、上記特許文献１では、座面の比較的大きな三脚にカメラ本体を取り付けた場合に、カメラ本体に対してグリップ部を回転させることができず、グリップ部の底面側にバッテリ蓋を配置されている場合等には、バッテリ蓋を開閉することができなくなる。
【０００７】
そこで、本発明は、三脚の座面の大きさに関わらず、三脚に取り付けた装置本体に対してグリップ部を回転させることができる撮像装置を提供することを目的とする。
【課題を解決するための手段】
【０００８】
上記目的を達成するために、本発明の撮像装置は、三脚取付部が底面部に設けられた装置本体と、バッテリが内部に収納されて前記装置本体の側部に対して回転可能に支持され、撮影者が把持するためのグリップ部と、を備え、前記グリップ部の底面部は、前記装置本体に対する前記グリップ部の回転中心を曲率中心とする円弧形状に形成され、前記円弧形状の曲率半径は、前記グリップ部の回転中心から前記装置本体の底面部までの距離と同等か前記距離より小さいことを特徴とする。
【発明の効果】
【０００９】
本発明によれば、三脚の座面の大きさに関わらず、三脚に取り付けた装置本体に対してグリップ部を回転させることができる。
【図面の簡単な説明】
【００１０】
【図１】本発明の撮像装置の実施形態の一例であるデジタルカメラを正面側から見た斜視図である。
【図２】図１に示すデジタルカメラを背面側から見た斜視図である。
【図３】カメラ本体とグリップ部とヒンジ部とを分解した斜視図である。
【図４】グリップ部をカメラ本体側から見た図である。
【図５】デジタルカメラの正面側から見て左側の側面図である。
【図６】（ａ）は図５の状態からグリップ部を図の右方向に４５°回転させた状態を示す図、（ｂ）は図５の状態からグリップ部を図の右方向に９０°回転させた状態を示す図である。（ｃ）は（ｂ）の状態でバッテリ蓋を開いてバッテリを取り出した状態を示す斜視図、（ｄ）は図５の状態からグリップ部を図の左方向に９０°回転させた状態を示す斜視図である。
【図７】図５に示すデジタルカメラを底面側から見た図である。
【図８】ボトムカバーに対してバッテリ蓋を開いた状態を示す部分拡大図である。
【図９】バッテリ蓋を裏面側から見た斜視図である。
【図１０】図９に示すバッテリ蓋から押さえ板を取り外した状態を示す斜視図である。
【図１１】図９の矢印Ａ方向から見た図である。
【発明を実施するための形態】
【００１１】
以下、図面を参照して、本発明の実施形態の一例を説明する。
【００１２】
図１は、本発明の撮像装置の実施形態の一例であるデジタルカメラを正面側から見た斜視図である。図２は、図１に示すデジタルカメラを背面側から見た斜視図である。
【００１３】
図１及び図２に示すように、本実施形態のデジタルカメラ１００は、カメラ本体１０１の正面側に、レンズ鏡筒１０４が装着され、カメラ本体１０１の上面側には、マイク１０５、及びアクセサリシュー１０６等が設けられている。カメラ本体１０１は、本発明の装置本体の一例に相当する。
【００１４】
カメラ本体１０１の背面側には、表示ユニット２０１が設けられ、表示ユニット２０１の下方には、記録媒体が着脱可能に装着される記録媒体装着部を開閉可能に覆うカバー部２０２が設けられている。カメラ本体１０１の底面部には、不図示の三脚取付部が設けられている。
【００１５】
また、カメラ本体１０１の正面側から見て左側の側部には、撮影時に撮影者が把持するグリップ部１０２がヒンジ部１０３（図３参照）を介してカメラ本体１０１に対して回転可能に支持されている。
【００１６】
グリップ部１０２は、把持しやすいようにゴム材等が被覆されており、上面部の正面側には、レリーズボタン１０７が設けられ、グリップ部１０２の上面部の中央部には、操作ダイアル２０３、電源ボタン２０４、及び再生キー２０５が設けられている。グリップ部１０２の上面部の背面側には、モードダイヤル２０６及びカスタムキー２０７が設けられている。
【００１７】
また、グリップ部１０２の背面部には、表示ユニット２０１の表示画面に表示された項目を操作するための操作ノブ２０８、及び表示画面にメニューを表示するためのメニューキー２０９が設けられている。
【００１８】
図３は、カメラ本体１０１とグリップ部１０２とヒンジ部１０３とを分解した斜視図である。図３に示すように、ヒンジ部１０３は、カメラ本体１０１に接続固定される本体側ヒンジ板３０１と、グリップ部１０２に接続固定されるグリップ側ヒンジ板３０２と、回転機構を有するヒンジ回転部３０３とを備える。
【００１９】
図４は、グリップ部１０２をカメラ本体１０１側から見た図である。図４において、グリップ部１０２の回転中心（ヒンジ部１０３の回転中心）を通ってグリップ部１０２の横方向に延びる線をＸ軸４０１とする。
【００２０】
また、Ｘ軸４０１と直交してグリップ部１０２の回転中心を通り、グリップ部１０２の縦方向に延びる線をＹ軸４０２とする。本実施形態では、Ｘ軸４０１は、レンズ鏡筒１０４の光軸に沿って配置されている。
【００２１】
図５は、デジタルカメラ１００の正面側から見て左側の側面図である。図５に示すように、グリップ部１０２の底面部５０１は、下方に突出する円弧形状に形成され、円弧形状の曲率中心は、ヒンジ部１０３の回転中心と一致している。
【００２２】
また、円弧形状の曲率半径ｒとヒンジ部１０３の回転中心からカメラ本体１０１の底面までの距離ａとの関係は、曲率半径ｒが距離ａと同等か距離ａより小さい。即ち、ｒ≦ａ、本実施形態では、ｒ＜ａとなっている。このため、グリップ部１０２の底面部５０１は、カメラ本体１０１を不図示の三脚に固定した際に、三脚の座面に接触しない位置に配置される。
【００２３】
図６（ａ）は図５の状態からグリップ部１０２をカメラ本体１０１に対して図の右方向に４５°回転させた状態を示す図、図６（ｂ）は図５の状態からグリップ部１０２をカメラ本体１０１に対して図の右方向に９０°回転させた状態を示す図である。
【００２４】
図６（ｃ）は、図６（ｂ）の状態でグリップ部１０２の底面部５０１に設けられたバッテリ蓋７０２を開いてグリップ部１０２の内部に収納されたバッテリ６０１を取り出した状態を示す斜視図である。図６（ｄ）は、図５の状態からグリップ部１０２をカメラ本体１０１に対して図の左方向に９０°回転させた状態を示す斜視図である。
【００２５】
図６（ａ）乃至図６（ｄ）に示すように、カメラ本体１０１を三脚に取り付けた状態でもグリップ部１０２を左方向及び右方向の両方向に回転させることができる。このため、カメラ本体１０１の正面側及び背面側のいずれの側からもグリップ部１０２内に収納されたバッテリ６０１を取り出すことができる。
【００２６】
図７は、図５に示すデジタルカメラ１００を底面側から見た図である。図７に示すように、グリップ部１０２の底面部５０１には、前述した円弧形状のボトムカバー７０１が配置され、ボトムカバー７０１には、グリップ部１０２の内部にバッテリ６０１を挿脱可能に収納するための収納口が形成されている。収納口は、バッテリ蓋７０２によって開閉可能に覆われる。
【００２７】
バッテリ蓋７０２は、ボトムカバー７０１の収納口のカメラ本体１０１側でＸ軸４０１と平行に延びる回動軸７０４を介してボトムカバー７０１に対して開閉方向に回動可能に支持されている。バッテリ蓋７０２には、閉じ状態でバッテリ蓋７０２が不用意に開くことを防止するロックノブ７０３が設けられている。
【００２８】
図８は、ボトムカバー７０１に対してバッテリ蓋７０２を開いた状態を示す部分拡大図である。図８に示すように、グリップ部１０２の内部に収納されたバッテリ６０１は、不図示のばねにより取り出し方向に付勢された状態で取り出し方向の端部に係止片８０２が係脱可能に係止されている。
【００２９】
係止片８０２は、バッテリ６０１に係止する位置とバッテリ６０１から退避する位置との間で回転可能に設けられている。係止片８０２がバッテリ６０１から退避することで、バッテリ６０１がばねの付勢力により収納口から突出し、これにより、バッテリ６０１を容易に取り出すことができる。
【００３０】
次に、図９乃至図１１を参照して、バッテリ蓋７０２について詳しく説明する。図９は、バッテリ蓋７０２を裏面側から見た斜視図である。図９に示すように、バッテリ蓋７０２は、ボトムカバー７０１とともに底面部５０１の外装を形成する蓋カバー９０１を有する。
【００３１】
蓋カバー９０１には、回動軸７０４が挿入される軸穴９０１ａが形成されている。押さえ板９０２は、ロックノブ７０３を蓋カバー９０１との間に挟んでロックノブ７０３の動きを規制する。押さえ板９０２には、凸形状部９０３が設けられ、凸形状部９０３は、バッテリ蓋７０２を閉じた際に、バッテリ蓋７０２の構成部品のうちでバッテリ６０１に最も接近して配置される。
【００３２】
図１０は、図９に示すバッテリ蓋７０２から押さえ板９０２を取り外した状態を示す斜視図である。図１０に示すように、ロックノブ７０３は、コイルばね１００１によりバッテリ蓋７０２がロックされる方向に付勢されている。
【００３３】
図１１は、図９の矢印Ａ方向から見た図である。図１１に示すように、バッテリ蓋７０２の裏面は、グリップ部１０２内に収納されたバッテリ６０１と対向して配置され、バッテリ６０１の端面形状に合わせて略平面状に形成されている。
【００３４】
バッテリ蓋７０２の表面側（グリップ部１０２の底面側）は、前述したように、外側に突出する円弧形状に形成されている。従って、バッテリ蓋７０２を構成する内部部品を、図１１のハッチング部で示した領域Ｓに配置することでグリップ部１０２の小型化が可能となる。このため、本実施形態では、ロックノブ７０３及び回動軸７０４を、Ｙ軸４０２の近傍、即ち、円弧形状のバッテリ蓋７０２の中央部近傍に配置している。
【００３５】
以上説明したように、本実施形態では、三脚の座面の大きさに関わらず、三脚に取り付けたカメラ本体１０１に対してグリップ部１０２を回転させることができる。これにより、座面の比較的大きな三脚にカメラ本体１０１を取り付けた場合でも、グリップ部１０２の底面側に設けられたバッテリ蓋７０２を開閉することができ、バッテリ６０１を容易に交換することが可能となる。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３７】
１００  デジタルカメラ
１０１  カメラ本体
１０２  グリップ部
１０３  ヒンジ部
６０１  バッテリ
７０２  バッテリ蓋
７０３  ロックノブ
７０４  回動軸
【図１】
2016165045.tif 000003
【図２】
2016165045.tif 000004
【図３】
2016165045.tif 000005
【図４】
2016165045.tif 000006
【図５】
2016165045.tif 000007
【図６】
2016165045.tif 000008
【図７】
2016165045.tif 000009
【図８】
2016165045.tif 000010
【図９】
2016165045.tif 000011
【図１０】
2016165045.tif 000012
【図１１】
2016165045.tif 000013